(57)【要約】【課題】メモリカードの挿抜情報やメモリカードのカード情報などを漏らすことなく取得しつつ、メモリカードへの電力供給を抑える。【解決手段】情報処理装置３００は、検出部４０１によって着脱可能な記憶媒体４０７が挿抜されたことを検出した場合、電力供給部４０２によって記憶媒体４０７への電力供給をおこなう。そして、電力供給部４０２によって記憶媒体４０７への電力供給がおこなわれた場合、情報取得部４０３によって記憶媒体４０７に関する情報を取得する。ここで、情報取得部４０３によって記憶媒体４０７に関する情報を取得した場合、電力制御部４０４は電力供給部４０２による記憶媒体４０７への電力供給を停止させる。【選択図】図４
2007257117.tif 000002
【特許請求の範囲】
【請求項１】
着脱可能な記憶媒体が挿抜されたことを検出する検出手段と、
前記検出手段によって前記記憶媒体が挿入されたことを検出した場合、当該記憶媒体へ
の電力供給をおこなう電力供給手段と、
前記電力供給手段によって前記記憶媒体への電力供給がおこなわれた場合、当該記憶媒
体に関する情報を取得する情報取得手段と、
前記情報取得手段によって前記記憶媒体に関する情報を取得した場合、前記電力供給手
段による当該記憶媒体への電力供給を停止させる電力制御手段と、
を備えることを特徴とする情報処理装置。
【請求項２】
前記記憶媒体に記憶されている再生データに関する所定の要求信号を受け付ける要求受
付手段をさらに備え、
前記電力制御手段は、
前記要求受付手段によって再生データに関する所定の要求信号を受け付けた場合、前記
電力供給手段による前記記憶媒体への電力供給を停止状態から復帰させることを特徴とす
る請求項１に記載の情報処理装置。
【請求項３】
前記情報取得手段によって取得した前記記憶媒体に関する情報を表示させる表示制御手
段をさらに備えることを特徴とする請求項１または２に記載の情報処理装置。
【請求項４】
着脱可能な記憶媒体が挿抜されたことを検出する検出工程と、
前記検出工程によって前記記憶媒体が挿入されたことを検出した場合、当該記憶媒体へ
の電力供給をおこなう電力供給工程と、
前記電力供給工程によって前記記憶媒体への電力供給がおこなわれた場合、当該記憶媒
体に関する情報を取得する情報取得工程と、
前記情報取得工程によって前記記憶媒体に関する情報を取得した場合、前記電力供給工
程による当該記憶媒体への電力供給を停止する電力供給停止工程と、
を含むことを特徴とする情報処理方法。
【請求項５】
前記記憶媒体に記憶されている再生データに関する所定の要求信号を受け付けた場合、
前記電力供給停止工程によって停止された前記電力供給工程による着脱可能な記憶媒体へ
の電力供給を当該停止から復帰させる電力供給復帰工程を含むことを特徴とする請求項４
に記載の情報処理方法。
【請求項６】
請求項４または５に記載の情報処理方法の前記各工程を前記情報処理装置に実行させる
ことを特徴とする情報処理プログラム。
【発明の詳細な説明】
【技術分野】
【０００１】
この発明は、着脱可能な記憶媒体であるメモリカードへアクセス可能な情報処理装置、
情報処理方法および情報処理プログラムに関する。
【背景技術】
【０００２】
従来より、着脱可能な記憶媒体であるメモリカードへアクセス可能な情報処理装置は、
メモリカードが挿入されたことを検出した場合、アクセスをおこなうための電力をメモリ
カードに供給する。そして、情報処理装置は、メモリカードへのアクセスをおこなうこと
によって、挿入されたメモリカードの種別情報、メモリカードに格納されている再生デー
タのデータ量および再生データのアクセス速度などの各種情報をメモリカードから取得す
る（たとえば下記特許文献１参照。）。
【０００３】
【特許文献１】特開２００２−３５８０９８号公報
【発明の開示】
【発明が解決しようとする課題】
【０００４】
しかしながら、上述した特許文献１の従来技術の情報処理装置では、メモリカードが挿
入されたことを検出した場合、ユーザによるメモリカードへのアクセス要求がない場合で
あっても、メモリカードへの電力の供給を継続しておこなっていた。このため、たとえば
ユーザからのアクセス要求が長時間ない場合であっても、バッテリに蓄えられている電力
が消費され、バッテリ寿命が短くなってしまうという問題があった。
【０００５】
この発明は、上述した従来技術による問題点を解消するため、メモリカードの挿抜情報
やメモリカードのカード情報などを漏らすことなく取得しつつ、メモリカードへの電力供
給を抑えることができる情報処理装置、情報処理方法および情報処理プログラムを提供す
ることを目的とする。
【課題を解決するための手段】
【０００６】
上述した課題を解決するために本発明にかかる情報処理装置は、着脱可能な記憶媒体が
挿抜されたことを検出する検出手段と、前記検出手段によって前記記憶媒体が挿入された
ことを検出した場合、当該記憶媒体への電力供給をおこなう電力供給手段と、前記電力供
給手段によって前記記憶媒体への電力供給がおこなわれた場合、当該記憶媒体に関する情
報を取得する情報取得手段と、前記情報取得手段によって前記記憶媒体に関する情報を取
得した場合、前記電力供給手段による当該記憶媒体への電力供給を停止させる電力制御手
段と、を備えることを特徴とする。
【０００７】
本発明の情報処理装置によれば、着脱可能な記憶媒体が挿入された際に当該記憶媒体へ
の電力供給をおこない、記憶媒体に関する情報を取得する。そして、記憶媒体に関する情
報を取得した場合、当該記憶媒体への電力供給を停止することができる。このため、記憶
媒体に関する情報を漏らすことなく取得しつつ、当該記憶媒体への電力供給を抑えること
ができる。
【０００８】
また、本発明の情報処理装置は、前記記憶媒体に記憶されている再生データに関する所
定の要求信号を受け付ける要求受付手段をさらに備え、前記電力制御手段は、前記要求受
付手段によって再生データに関する所定の要求信号を受け付けた場合、前記電力供給手段
による前記記憶媒体への電力供給を停止状態から復帰させることを特徴とする。
【０００９】
このため、本発明にかかる情報処理装置によれば、記憶媒体への電力供給が停止されて
いる状態であっても、所定の要求信号を受け付けた場合には、各種処理を実行することが
できる状態に即座に復帰することができ、受け付けた所定の要求に対する処理を実行する
ことができる。
【００１０】
また、本発明の情報処理装置は、前記情報取得手段によって取得した前記記憶媒体に関
する情報を表示させる表示制御手段をさらに備えることを特徴とする。
【００１１】
このため、本発明にかかる情報処理装置によれば、記憶媒体に関する情報を漏らすこと
なくユーザに提供しつつ、記憶媒体への電力供給を抑えることができる。
【００１２】
また、本発明の情報処理方法は、着脱可能な記憶媒体が挿抜されたことを検出する検出
工程と、前記検出工程によって前記記憶媒体が挿入されたことを検出した場合、当該記憶
媒体への電力供給をおこなう電力供給工程と、前記電力供給工程によって前記記憶媒体へ
の電力供給がおこなわれた場合、当該記憶媒体に関する情報を取得する情報取得工程と、
前記情報取得工程によって前記記憶媒体に関する情報を取得した場合、前記電力供給工程
による当該記憶媒体への電力供給を停止する電力供給停止工程と、を含むことを特徴とす
る。
【００１３】
このため、本発明にかかる情報処理方法によれば、着脱可能な記憶媒体が挿入された際
に当該記憶媒体への電力供給をおこない、記憶媒体に関する情報を取得する。そして、記
憶媒体に関する情報を取得した場合、当該記憶媒体への電力供給を停止することができる
。このため、記憶媒体に関する情報を漏らすことなく取得しつつ、当該記憶媒体への電力
供給を抑えることができる。
【００１４】
また、本発明の情報処理方法は、前記記憶媒体に記憶されている再生データに関する所
定の要求信号を受け付けた場合、前記電力供給停止工程によって停止された前記電力供給
工程による着脱可能な記憶媒体への電力供給を当該停止から復帰させる電力供給復帰工程
を含むことを特徴とする。
【００１５】
このため、本発明にかかる情報処理装置によれば、記憶媒体への電力供給が停止されて
いる状態であっても、所定の要求信号を受け付けた場合には、各種処理を実行することが
できる状態に即座に復帰することができ、受け付けた所定の要求に対する処理を実行する
ことができる。
【００１６】
また、本発明の情報処理プログラムは、上記に記載の情報処理方法をコンピュータに実
行させることを特徴とする。
【００１７】
このため、本発明の情報処理プログラムによれば、この情報処理プログラムを実行する
ことにより、上述した情報処理方法によって得られる動作がコンピュータによって実現さ
れる。これにより、上述した情報処理方法の実現によって得られる各種効果を奏すること
ができる。
【発明を実施するための最良の形態】
【００１８】
以下に添付図面を参照して、この発明にかかる情報処理装置、情報処理方法および情報
処理プログラムの好適な実施の形態を詳細に説明する。
【００１９】
（情報処理装置の外観）
図１−１および図１−２は、この発明の実施の形態にかかる情報処理装置の外観を示す
説明図である。図１−１は情報処理装置の上面図であり、図１−１において、１０１は、
ＳＤメモリカード・ＭＭＣ（マルチメディアカード）などを挿入するためのメモリカード
スロットであり、１０２は、ＣＦ（コンパクトフラッシュ（登録商標））カードを挿入す
るＣＦカードスロットであり、１０３は、ＣＦカードを取り出すときに押下するＣＦカー
ドイジェクトボタンである。
【００２０】
図１−２は、情報処理装置の正面図であり、図１−２において、１０４は、操作画面や
画像データを表示する高精細液晶モニタ（たとえば３．８型）である。１０５は「Ｐｒｉ
ｎｔ」ボタンであり、この「Ｐｒｉｎｔ」ボタン１０５が印刷可能な画面で押下されると
、印刷設定画面を表示する。
【００２１】
１０６は「Ｍｅｎｕ」ボタンであり、この「Ｍｅｎｕ」ボタン１０６が押下されると、
実行できる操作項目をポップアップメニューなどで表示する。１０７は、「↑↓←→」キ
ー（４−Ｗａｙリング）であり、この４−Ｗａｙリング１０７の押下によって項目を選択
させることができる。１０８は「ＯＫ」ボタンであり、この「ＯＫ」ボタン１０８の押下
によって選択を確定する。１０９は「Ｃａｎｃｅｌ」ボタンであり、この「Ｃａｎｃｅｌ
」ボタン１０９の押下によって操作を中止して一つ前の画面に戻る。
【００２２】
１１０は「Ｄｉｓｐｌａｙ」ボタンであり、この「Ｄｉｓｐｌａｙ」ボタン１１０の押
下によって操作説明や画面の情報を表示する。１１１は「Ｈｏｍｅ」ボタンであり、この
「Ｈｏｍｅ」ボタン１１１の押下によって操作を中止して、「ホーム画面（初期メニュー
画面）」に戻す。
【００２３】
（表示内容の一例）
図２は、初期メニュー画面（ホーム画面）の表示内容を示す説明図である。図２に示す
ように、ホーム画面２００には、操作可能な処理を示すボタン（アイコンを含む）を表示
し、ユーザからの選択指示を待つ。ここで、表示されている複数のボタンの中から、所望
の操作を示すボタンを選択（タッチ）することによって、選択された操作画面に切り替わ
る。
【００２４】
また、ホーム画面２００の右上には、各種情報を示すアイコンが表示されており、具体
的には、Ｈｏｌｄアイコン２０１、ＳＤアイコン２０２、ＣＦアイコン２０３およびバッ
テリアイコン２０４が表示されている。Ｈｏｌｄアイコン２０１は、データ再生時などに
、情報処理装置に設けられた各種ボタンやホーム画面２００に表示されている各ボタンの
操作が無効となっているホールド状態を示すアイコンである。ＳＤアイコン２０２は、Ｓ
Ｄメモリカード・ＭＭＣが挿入されていることを示すアイコンである。ＣＦアイコン２０
３は、ＣＦカードが挿入されていることを示すアイコンである。また、バッテリアイコン
２０４は、情報処理装置のバッテリ残量を示すアイコンである。
【００２５】
（情報処理装置のハードウェア構成）
図３は、この発明の実施の形態にかかる情報処理装置のハードウェア構成を示す説明図
である。図３において、情報処理装置３００は、ＣＰＵ３０１と、メモリ３０２と、メモ
リコントローラ３０３と、メモリカード３０４と、メモリカードＩ／Ｆ（インタフェース
）３０５と、入力デバイス３０６と、汎用入出力制御ユニット３０７と、ビデオＩ／Ｆ（
インタフェース）３０８と、ビデオデコーダ３０９と、ＬＣＤ（リキッドクリスタルディ
スプレイ）３１０と、モニタ３１１と、オーディオＩ／Ｆ（インタフェース）３１２と、
オーディオデコーダ３１３と、スピーカ３１４と、ヘッドフォン３１５と、電源制御ユニ
ット３１６と、バッテリ３１７とからなる。これらの構成部３０１〜３１７は、それぞれ
バス３２０によって接続される。
【００２６】
ここで、ＣＰＵ３０１は、メモリ３０２などに記憶されたプログラムを実行することに
よって、情報処理装置３００全体を制御する。メモリ３０２は、情報処理装置３００の基
本処理プログラムなどを記憶している。メモリ３０２としては、たとえば、ＲＯＭ（Ｒｅ
ａｄ  Ｏｎｌｙ  Ｍｅｍｏｒｙ）やＳＤＲＡＭ（Ｓｙｎｃｈｒｏｎｏｕｓ  Ｄｙｎａｍｉ
ｃ  Ｒａｎｄｏｍ  Ａｃｃｅｓｓ  Ｍｅｍｏｒｙ）が用いられる。また、メモリコントロ
ーラ３０３は、ＣＰＵ３０１の制御にしたがって、メモリ３０２に対するデータの読み取
り／書き込みを制御する。
【００２７】
メモリカード３０４は、着脱可能な記憶媒体であり、画像データや音声データなどの各
種情報を記憶する。また、メモリカード３０４は、メモリカードＩ／Ｆ３０５によってＣ
ＰＵ３０１と接続されており、このメモリカードＩ／Ｆ３０５によってメモリカード３０
４に格納されているデータの読み出しおよび書き込みをおこなうことができる。
【００２８】
メモリカード３０４は、たとえば、電力供給をおこなっていない状態であっても記憶さ
れているデータが消えないフラッシュメモリと、外部との入出力をおこなうコントローラ
回路とを備える着脱可能な記憶媒体であり、ＣＦカード、ＳＤメモリカードおよびマルチ
メディアカードなどが用いられる。
【００２９】
入力デバイス３０６は、文字、数値、各種指示などの入力のための、たとえば図１−２
に示すような各種ボタンによって構成されている。また、汎用入出力制御ユニット３０７
は、入力デバイス３０６からの入出力を制御する。
【００３０】
ビデオＩ／Ｆ３０８は、ビデオデコーダ３０９を介してＬＣＤ３１０およびモニタ３１
１と接続される。このビデオＩ／Ｆ３０８は、たとえば、ＬＣＤ３１０およびモニタ３１
１の全体の制御をおこなうグラフィックコントローラと、即時表示可能な画像情報を一時
的に記録するＶＲＡＭ（Ｖｉｄｅｏ  ＲＡＭ）などのバッファメモリと、ＬＣＤ３１０お
よびモニタ３１１を表示制御する制御ＩＣなどによって構成される。具体的には、ビデオ
Ｉ／Ｆ３０８は、グラフィックコントローラから出力された画像データをビデオデコーダ
３０９によって復号化し、その復号化した画像データに基づいて、ＬＣＤ３１０およびモ
ニタ３１１を表示制御する。
【００３１】
ＬＣＤ３１０は、点灯または点滅することによって、ユーザに情報処理装置３００の状
態あるいはユーザへ所定の情報（たとえば警告情報など）を告知する。また、モニタ３１
１は、液晶を利用した高精細な液晶ディスプレイであり、たとえばアイコン、カーソル、
メニュー、ウインドウ、あるいは文字や画像などの各種データを表示する。
【００３２】
オーディオＩ／Ｆ３１２は、オーディオデコーダ３１３を介してスピーカ３１４および
ヘッドフォン３１５に接続される。具体的には、オーディオＩ／Ｆ３１２から出力された
音声データをオーディオデコーダ３１３によって復号化し、スピーカ３１４およびヘッド
フォン３１５から音声出力する。
【００３３】
電源制御ユニット３１６は、ユーザによって情報処理装置３００の電源がＯＮにされた
際に、バッテリ３１７からの電力を各構成部に供給する。また、ユーザによって情報処理
装置３００の電源がＯＦＦにされた際には、各構成部に対する電力の供給を終了する。
【００３４】
（情報処理装置の機能的構成）
図４は、この発明の実施の形態にかかる情報処理装置の機能的構成を示すブロック図で
ある。図４に示すように、実施の形態にかかる情報処理装置３００は、検出部４０１と、
電力供給部４０２と、情報取得部４０３と、電力制御部４０４と、要求受付部４０５と、
表示制御部４０６とを含む構成となっている。
【００３５】
検出部４０１は、着脱可能な記憶媒体４０７が挿抜されたことを検出する。具体的には
、たとえば検出部４０１は、情報処理装置３００内の電気的な流れの変化を検出すること
によって、記憶媒体４０７が挿入されたか、または挿入されていた記憶媒体４０７が抜去
されたかを判断するようにしてもよい。
【００３６】
電力供給部４０２は、検出部４０１によって記憶媒体４０７が挿入されたことを検出し
た場合、記憶媒体４０７への電力供給をおこなう。具体的には、記憶媒体４０７に電力を
供給することによって、記憶媒体４０７と情報処理装置３００との間における各種データ
のデータ転送を可能にすることである。たとえば、記憶媒体４０７に電力を供給すること
によって、記憶媒体４０７に格納されているデータの読み出しおよび書き込みなどをおこ
なうことができる状態にする。
【００３７】
情報取得部４０３は、電力供給部４０２によって記憶媒体４０７への電力供給がおこな
われた場合、記憶媒体４０７に関する情報を取得する。ここで、記憶媒体４０７に関する
情報とは、記憶媒体４０７の種別を示す種別情報、記憶媒体４０７に記憶されている再生
データのデータ量および各種データのデータ転送速度などを示す情報を含む。
【００３８】
電力制御部４０４は、情報取得部４０３によって記憶媒体４０７に関する情報を取得し
た場合、電力供給部４０２による記憶媒体４０７への電力供給を停止させる。具体的には
、たとえば記憶媒体４０７への電力の供給を停止することによって、記憶媒体４０７と情
報処理装置３００との間における各種データのデータ転送ができない状態にすることであ
る。このとき、記憶媒体４０７への電力の供給が停止されているため、電力供給部４０２
による電力の消費を抑えることができる。
【００３９】
要求受付部４０５は、記憶媒体４０７に記憶されている再生データに関する所定の要求
信号を受け付ける。ここで、再生データに関する所定の要求信号とは、記憶媒体４０７に
記憶されている再生データの読み出しおよび書き込みをおこなうための要求信号を含む。
【００４０】
また、電力制御部４０４は、要求受付部４０５によって再生データに関する所定の要求
信号を受け付けた場合、電力供給部４０２による記憶媒体４０７への電力供給を停止状態
から復帰させる。具体的には、記憶媒体４０７への電力の供給を再びおこなうことによっ
て、記憶媒体４０７と情報処理装置３００との間における各種データのデータ転送を再び
可能にすることである。
【００４１】
表示制御部４０６は、情報取得部４０３によって取得した記憶媒体４０７に関する情報
を表示させる。具体的には、たとえば情報取得部４０３によって記憶媒体４０７の挿抜情
報、記憶媒体４０７の種別情報などを取得するごとに、表示内容を更新して図示しない表
示部に表示することによって、ユーザに提示することができる。
【００４２】
以上説明した情報処理装置３００の機能的構成である検出部４０１、情報取得部４０３
とは、具体的には、たとえば図３に示すＣＰＵ３０１がメモリ３０２に記憶されたプログ
ラムを実行することによって、電力供給部４０２と電力制御部４０４とは、具体的には、
たとえば電源制御ユニット３１６とバッテリ３１７とによって、要求受付部４０５は、具
体的には、たとえば入力デバイス３０６によって、表示制御部４０６は、具体的には、た
とえばビデオＩ／Ｆ３０８とビデオデコーダ３０９とによって、それぞれその機能を実現
する。
【００４３】
（情報処理装置の処理の手順）
図５、図６および図７は、この発明の実施の形態にかかる情報処理装置の処理の手順を
示すフローチャートである。まず、図５に示すフローチャートを用いて、情報処理装置３
００にメモリカード３０４が挿抜されたことを検出する際の処理について説明する。図５
のフローチャートにおいて、情報処理装置３００は、まず、メモリカード３０４が挿入さ
れたか否かを判断する（ステップＳ５０１）。具体的には、たとえば情報処理装置３００
のメモリカードスロット１０１（図１−１参照。以下同じ。）やＣＦカードスロット１０
２（図１−１参照。以下同じ。）に、ＣＦカードやＳＤメモリカード／ＭＭＣなどのメモ
リカード３０４が挿入されたか否かを判断する。
【００４４】
ここで、メモリカード３０４が挿入された場合（ステップＳ５０１：Ｙｅｓ）は、アク
セスに必要な電力をメモリカード３０４に供給する（ステップＳ５０２）。具体的には、
たとえばメモリカード３０４が挿入された場合に、電源制御ユニット３１６によってバッ
テリ３１７からの電力をメモリカード３０４に供給し、所定の初期化処理をおこなう。
【００４５】
ここで、アクセスとは、情報処理装置３００とメモリカード３０４との間において、画
像データや音声データなどの各種データを転送することができる状態にすることである。
たとえば、情報処理装置３００は、メモリカードＩ／Ｆ３０５を介してメモリカード３０
４にアクセスすることによって、メモリカード３０４に記憶されている再生データなどの
各種データの読み出しをおこなうことができる状態にする。
【００４６】
また、メモリカード３０４が挿入された場合におこなわれる初期化処理は、たとえば、
挿入されたメモリカード３０４の種別、挿入されたメモリカード３０４がフォーマットさ
れているか、ライトプロテクトされたメモリカード３０４が挿入されていないか、メモリ
カード３０４のアクセス速度（データの転送速度）など判断する判断処理などを含む。
【００４７】
つぎに、メモリカード３０４の種別情報を読み出す（ステップＳ５０３）。ここで、メ
モリカード３０４の種別情報とは、たとえばメモリカード３０４の種別、ライトプロテク
ト情報、アクセス速度などを含む。具体的には、たとえば上記初期化処理を実行すること
によって判断された判断結果を、メモリカード３０４の種別情報としてメモリカードＩ／
Ｆ３０５を介してメモリカード３０４から読み出す。
【００４８】
そして、メモリカード３０４の種別情報を読み出した場合、メモリカード３０４への電
力の供給を停止する（ステップＳ５０４）。メモリカード３０４への電力の供給を停止し
た場合は、メモリカード３０４へのアクセスをおこなわないため、メモリカード３０４に
記憶されている再生データなどの各種データの読み出しをおこなうことができない状態と
なる。
【００４９】
最後に、メモリカード挿入情報および種別情報をＣＰＵ３０１に転送して（ステップＳ
５０５）、本フローチャートによる一連の処理を終了する。具体的には、たとえばフォー
マットされているメモリカード３０４が挿入されている場合は、その情報とあわせてライ
トプロテクト情報、アクセス速度などをＣＰＵ３０１に転送する。また、フォーマットさ
れていないメモリカード３０４が挿入されている場合には、その情報だけをＣＰＵ３０１
に転送するようにしてもよい。ここで、メモリカード挿入情報は、メモリカード３０４が
挿入されていることを示す情報である。
【００５０】
また、ステップＳ５０１において、メモリカード３０４が挿入されなかった場合（ステ
ップＳ５０１：Ｎｏ）は、つぎに、メモリカード３０４が抜去されたか否かを判断する（
ステップＳ５０６）。具体的には、たとえば情報処理装置３００のメモリカードスロット
１０１やＣＦカードスロット１０２に挿入されていたＣＦカードやＳＤメモリカード／Ｍ
ＭＣなどのメモリカード３０４が抜去されたか否かを判断する。
【００５１】
ここで、メモリカード３０４が抜去された場合（ステップＳ５０６：Ｙｅｓ）は、メモ
リカード３０４への電力の供給を停止する（ステップＳ５０７）。そして、メモリカード
抜去情報をＣＰＵ３０１に転送して（ステップＳ５０８）、本フローチャートによる一連
の処理を終了する。なお、ステップＳ５０６において、メモリカード３０４が抜去された
と判断されなかった場合（ステップＳ５０６：Ｎｏ）は、本フローチャートによる一連の
処理を終了するようにしてもよい。
【００５２】
つづいて、図６に示すフローチャートを用いて、メモリカード３０４へアクセスする際
の処理について説明する。図６のフローチャートにおいて、情報処理装置３００は、まず
、メモリカード３０４へ電力が供給されているか否かを判断する（ステップＳ６０１）。
ここで、メモリカード３０４へ電力が供給されていない場合（ステップＳ６０１：Ｎｏ）
は、アクセスに必要な電力をメモリカード３０４に供給する（ステップＳ６０２）。
【００５３】
そして、メモリカード３０４へ電力が供給された場合、メモリカード３０４へのアクセ
スをおこない（ステップＳ６０３）、本フローチャートによる一連の処理を終了する。ま
た、ステップＳ６０１において、メモリカード３０４へ電力が供給されている場合（ステ
ップＳ６０１：Ｙｅｓ）は、メモリカード３０４へのアクセスをおこない（ステップＳ６
０３）、本フローチャートによる一連の処理を終了する。
【００５４】
つづいて、図７に示すフローチャートを用いて、メモリカード３０４が挿入されてから
、再生データを読み出すまでの一連の処理について説明する。図７のフローチャートにお
いて、情報処理装置３００は、まず、メモリカード３０４が挿入されたか否かを判断する
（ステップＳ７０１）。ここで、メモリカード３０４が挿入されるのを待って、挿入され
た場合（ステップＳ７０１：Ｙｅｓ）は、アクセスに必要な電力をメモリカード３０４に
供給する（ステップＳ７０２）。
【００５５】
つぎに、メモリカード３０４の種別情報を読み出して（ステップＳ７０３）、メモリカ
ード３０４への電力の供給を停止する（ステップＳ７０４）。そして、メモリカード３０
４が挿入されていることを示すメモリカード挿入情報および読み出したメモリカード３０
４の種別情報をビデオＩ／Ｆ３０８に転送し、モニタ３１１に表示する内容の更新をおこ
なう（ステップＳ７０５）。
【００５６】
たとえば、メモリカード挿入情報および読み出したメモリカード３０４の種別情報をビ
デオＩ／Ｆ３０８に転送し、図２に示すホーム画面２００の表示内容を更新する。具体的
には、たとえばユーザによってＳＤカードがメモリカードスロット１０１に挿入された場
合は、ホーム画面２００の右上にＳＤアイコン２０２が表示される。また、挿入されたメ
モリカード３０４がフォーマットされていなかった場合には、「このメモリカードは使用
できません。メモリカードが壊れているか、フォーマットされていない可能性があります
。」などのメッセージをホーム画面２００と切り替えて、モニタ３１１に表示してユーザ
に提示するようにしてもよい。
【００５７】
つぎに、ユーザによるリード要求が発生したか否かを判断する（ステップＳ７０６）。
リード要求とは、メモリカード３０４に記憶されている画像データや音声データなどの再
生データを読み出す際に発生する要求であり、たとえばユーザが入力デバイス３０６を操
作したり、外部装置からの信号（有線による信号、無線による信号のいずれも含む）を取
得することによって発生する。
【００５８】
ここで、リード要求が発生するのを待って発生した場合（ステップＳ７０６：Ｙｅｓ）
は、アクセスに必要な電力をメモリカード３０４に供給し（ステップＳ７０７）、メモリ
カード３０４へのアクセスをおこなう（ステップＳ７０８）。
【００５９】
最後に、再生データをメモリ３０２へ読み出して（ステップＳ７０９）、本フローチャ
ートによる一連の処理を終了する。具体的には、メモリカードＩ／Ｆ３０５を介してメモ
リカード３０４から再生データを読み出して、メモリ３０２内に確保されたバッファメモ
リに一時保存する。
【００６０】
また、読み出した再生データは、図示しないＨＤＤ（ハードディスクドライブ）などの
記憶媒体へ転送することによって保存することができる。さらに、読み出した再生データ
をビデオＩ／Ｆ３０８やオーディオＩ／Ｆ３１２へ転送することによって、再生データの
再生をおこなうことができる。
【００６１】
以上説明したように、この発明の実施の形態にかかる情報処理装置３００によれば、メ
モリカード３０４が挿入された際に、アクセスに必要な電力をメモリカード３０４に供給
し、メモリカード３０４の種別情報を読み出すことができる。そして、メモリカード３０
４の種別情報を読み出した場合に、メモリカード３０４への電力供給を停止することがで
きる。このため、情報処理装置３００は、メモリカード３０４の種別情報を漏らすことな
く読み出しつつ、メモリカード３０４への電力供給を抑えることができる。
【００６２】
また、情報処理装置３００は、メモリカード３０４への電力供給が停止されている状態
であっても、たとえばユーザの入力操作などによって所定の要求信号が発生した場合には
、メモリカード３０４への電力供給を即座に復帰し、所定の要求信号に対する処理を実行
するこができる。
【００６３】
さらに、情報処理装置３００は、メモリカード３０４の種別情報を、読み出すごとに更
新してモニタ３１１に表示することができる。このため、情報処理装置３００は、メモリ
カード３０４の種別情報を漏らすことなくユーザに提供することができる。
【００６４】
なお、本実施の形態で説明した情報処理方法は、あらかじめ用意されたプログラムをパ
ーソナル・コンピュータやワークステーションなどのコンピュータで実行することにより
実現することができる。このプログラムは、ハードディスク、フレキシブルディスク、Ｃ
Ｄ−ＲＯＭ、ＭＯ、ＤＶＤなどのコンピュータで読み取り可能な記録媒体に記録され、コ
ンピュータによって記録媒体から読み出されることによって実行される。またこのプログ
ラムは、インターネットなどのネットワークを介して配布することが可能な伝送媒体であ
ってもよい。
【図面の簡単な説明】
【００６５】
【図１−１】実施の形態にかかる情報処理装置の外観を示す説明図（上面図）。
【図１−２】実施の形態にかかる情報処理装置の外観を示す説明図（正面図）。
【図２】初期メニュー画面（ホーム画面）の表示内容を示す説明図。
【図３】実施の形態にかかる情報処理装置のハードウェア構成を示す説明図。
【図４】実施の形態にかかる情報処理装置の機能的構成を示すブロック図。
【図５】実施の形態にかかる情報処理装置の処理の手順を示すフローチャート。
【図６】実施の形態にかかる情報処理装置の処理の手順を示すフローチャート。
【図７】実施の形態にかかる情報処理装置の処理の手順を示すフローチャート。
【符号の説明】
【００６６】
３００  情報処理装置、３０１  ＣＰＵ、３０２  メモリ、３０３  メモリコントロー
ラ、３０４  メモリカード、３０５  メモリカードＩ／Ｆ、３０８  ビデオＩ／Ｆ、３０
９  ビデオデコーダ、３１１  モニタ、３１６  電源制御ユニット、３１７  バッテリ、
４０１  検出部、４０２  電力供給部、４０３  情報取得部、４０４  電力制御部、４０
５  要求受付部、４０６  表示制御部
【図１−１】
2007257117.tif 000003
【図１−２】
2007257117.tif 000004
【図２】
2007257117.tif 000005
【図３】
2007257117.tif 000006
【図４】
2007257117.tif 000007
【図５】
2007257117.tif 000008
【図６】
2007257117.tif 000009
【図７】
2007257117.tif 000010